(57)【特許請求の範囲】
【請求項１】
天地方向の長さが等しい上用紙と下用紙とを重ね合わせ幅方向一端側で揃えて三周縁で接着し、天地方向端の各接着部分の内側にはそれぞれ開封用切り取り部を設け、前記下用紙の幅方向他端に位置する開口端は前記上用紙よりも延出して往信用封緘部を設ける一方、前記上用紙と前記下用紙の幅方向一端側接着端から異なった間隔をおいて前記各用紙にそれぞれ切り取り部を設け、通知情報表示部と、前記各切り取り部側が開口端となる一辺開口型の返信用封筒部とを区画形成し、この返信用封筒部の開口端側には、一方の切り取り部に沿って返信用封筒封緘部を設け、前記各用紙よりも天地方向及び幅方向の長さがいずれも短い返信用紙である中用紙を、前記返信用封筒部内に一端側を挿入した状態で、前記上用紙又は前記下用紙の少なくともいずれか一方に分離可能に接着し、前記下用紙の表出面側においては、前記上用紙を内側にして前記返信用封筒部端から前記往信用封緘部に向けて、同一方向に巻き込むように折り重ねて封書とした際に下用紙の表出する通知情報表示部に、往信用宛名情報表示領域と往信用差出人情報表示領域とを設けたことを特徴とする返信封書付き封書用シート。
【発明の詳細な説明】
【０００１】
【発明の属する技術分野】
本発明は、同一方向に巻き込むように折り重ねて封書を作成するためのシートであるとともに、返信用の封筒も備えた、返信封筒付き封書用シートに関する。
【０００２】
【従来の技術】
従来のこの種返信封筒付き封書用シートは、二枚の用紙を重ねて幅方向一端側で揃えて三周縁で接着し、天地方向端の接着部分の各内側にそれぞれ開封用ミシン目を設け、幅方向他端の開口端側には封緘部を設ける一方、この開口端と反対側接着端との所定位置には切り用ミシン目を境として返信用封筒部を形成し、封書作成時に内側に位置する用紙の返信用封筒部以外の部分で返信用紙を構成しているのが一般的である。そして、この構成では、前記返信用紙を返信用封筒に挿入しうる大きさとするために、前記返信用紙の前記各開封ミシン目の内側に沿って、これらと平行に切り用ミシン目をさらに設けなければならない。
【０００３】
【発明が解決しようとする課題】
したがって、この従来例によると、返信用紙を返信用封筒に挿入しうる大きさにするために、封書開封後に必要な、三周縁に設けられた切り用ミシン目の切断動作が煩雑であるという不都合がある。また、往信時の通知情報の表示部分は、返信用紙以外の用紙の重ね合わせ面側だけなので、通知情報の量が少ないという不都合もある。本発明は、このような不都合を解消することを目的とする。
【０００４】
【課題を解決するための手段】
この目的を達成するために、本発明の請求項１に記載した返信封筒付き封書用シートは、天地方向の長さが等しい上用紙と下用紙とを重ね合わせ幅方向一端側で揃えて三周縁で接着し、天地方向端の各接着部分の内側にはそれぞれ開封用切り取り部を設け、前記下用紙の幅方向他端に位置する開口端は前記上用紙よりも延出して往信用封緘部を設ける一方、前記上用紙と前記下用紙の幅方向一端側接着端から異なった間隔をおいて前記各用紙にそれぞれ切り取り部を設け、通知情報表示部と、前記各切り取り部側が開口端となる一辺開口型の返信用封筒部とを区画形成し、この返信用封筒部の開口端側には、一方の切り取り部に沿って返信用封筒封緘部を設け、前記各用紙よりも天地方向及び幅方向の長さがいずれも短い返信用紙である中用紙を、前記返信用封筒部内に一端側を挿入した状態で、前記上用紙又は前記下用紙の少なくともいずれか一方に分離可能に接着し、前記下用紙の表出面側においては、前記上用紙を内側にして前記返信用封筒部端から前記往信用封緘部に向けて、同一方向に巻き込むように折り重ねて封書とした際に下用紙の表出する通知情報表示部に、往信用宛名情報表示領域と往信用差出人情報表示領域とを設けたものである。
【０００５】
【発明の実施の形態】
以下、添付図面に基づいて本発明の好適な実施形態を説明する。ここにおいて、図１は返信封筒付き封書用シートの上用紙側を示す平面図、図２は同じく下用紙側を示す平面図、図３は図１のＸ−Ｘ線断面図、図４は同じくＹ−Ｙ線断面図、図５は下用紙の重ね合わせ面側を示す平面図、図６は作成した封書の宛名表示面側を示す平面図、図７は同じく差出人表示面側を示す平面図、図８は封書を開封し上用紙の情報表示部分を切り取った状態を示す平面図、図９は作成した返信用封筒の差出人表示面側を示す平面図である。
【０００６】
図１〜図４に示すように、返信封筒付き封書用シート１は、天地方向（短手方向）の長さが等しい上用紙２と下用紙３とを三周縁で糊４ａ，４ｂ，４ｃで接着し、天地方向端の各糊４ａ，４ｂによる接着部分の内側には、それぞれ開封用切り取り部たる開封用ミシン目５ａ，５ｂを設けている。また、前記下用紙３の幅方向（長手方向）一端に位置する開口端は前記上用紙２よりも延出し、折り用ミシン目６を境として切り用ミシン目７ａ，７ｂを設けた往信用封緘部７を形成している。
【０００７】
図３で理解できるように、上用紙２と下用紙３の幅方向の開口端とは反対側に位置する接着端側には、前記各用紙２，３にそれぞれ設けた切り取り部たる切り用ミシン目８，９を境に、これら各切り用ミシン目８，９と各開封用ミシン目５ａ，５ｂで区画形成する、返信用封筒部１０を形成している。また、上用紙２と下用紙３における前記各切り用ミシン目８，９から往信用封緘部７側の部分で通知情報表示部を形成する。前記返信用封筒部１０は、前記各開封用ミシン目５ａ，５ｂの内側で糊１１ａ，１１ｂにより接着された返信用封筒上紙２ａと返信用封筒下紙３ａとからなり、前記各切り用ミシン目８，９側が開口端となった一辺開口型封筒である。
【０００８】
この返信用封筒部１０は、返信用封筒上紙２ａの表出面が返信差出人情報表示面となり、ここには返信差出人情報１２を適宜時期に印字により表示する。また、返信用封筒下紙３ａの表出面が返信宛名情報表示面となり、ここには返信宛名情報１３を適宜時期に印刷により表示する。さらに、返信用封筒部１０の開口端側には、返信用封筒下紙３ａの切り用ミシン目９に沿って、帯状に設けた粘着剤１４を剥離紙１５で被覆してなる返信用封筒封緘部を設けている。
【０００９】
一方、上用紙２の切り用ミシン目８を境に返信用封筒上紙２ａと連接する部分の両面の通知情報表示部２ｂ，２ｃは、表出面側の通知情報表示部２ｂには、図１に示すように、「○○カード入会のご案内」の標題とともに案内文１６を適宜時期に印刷により表示し、重ね合わせ面側の通知情報表示部２ｃには、規約条項１７を適宜時期に印刷により表示する（図３参照）。そして、下用紙３の切り用ミシン目９を境に返信用封筒下紙３ａと連接する部分の重ね合わせ面側の通知情報表示部３ｂには、図５及び図８に示すように、「○○カードの特典」の標題とともに説明文１８を適宜時期に印刷により表示する（図３参照）。
【００１０】
また、図２に示すように、下用紙３の表出面側には、切り用ミシン目９を境に返信用封筒下紙３ａと連接する部分における、上用紙２を内側にして前記返信用封筒下紙３ａ端から往信用封緘部７に向けて、同一方向に巻き込むように、Ａ，Ｂ，Ｃで示す折り位置で折り重ねて封書３０（図６及び図７参照）とした際に表裏に表出する部分、すなわち、折り位置Ｂより往信用封緘部７側のうち、折り位置Ｃと前記往信用封緘部７との間を往信用宛名情報表示領域３ｃとして、往信用宛名情報１９を適宜時期に印字により表示する。なお、返信封筒付き封書用シート１における返信用封筒部１０端から折り位置Ａ、折り位置Ａから折り位置Ｂ、折り位置Ｂから折り位置Ｃ、折り位置Ｃから折り用ミシン目６、の各間隔はほぼ等しく設定している。
【００１１】
同じく図２に示すように、もう一方の表出部分となる折り位置Ｃと折り位置Ｂとの間を往信用差出人情報表示領域３ｄとして、往信用差出人情報２０を適宜時期に印刷により表示する。さらに、封書作成時に中に隠れる部分となる、前記折り位置Ｂから切り用ミシン目９側の部分には、入会勧誘文２１を適宜時期に印刷により表示する。
【００１２】
またさらに、図３、図４及び図８に示すように、上用紙２及び下用紙３よりも天地方向及び幅方向の長さがいずれも短い中用紙２２を、返信用封筒部１０内に一端側を挿入した状態で、挿入端を糊２３で下用紙３に接着し、この接着部分の内側に切り用ミシン目２４を設けて、分離可能にしている。この中用紙２２は、申込情報記入捺印欄２５を設けた入会申込書として形成され、前記申込情報記入捺印欄２５に所定事項を記入し、捺印の後、返信用封筒部１０に入れて返送される返信用紙である。
【００１３】
続いて、上述のように構成した返信封筒付き封書用シート１の使用方法について説明する。図１〜図４状態にある返信封筒付き封書用シート１を、上用紙２が内側に位置する図１状態において、前記上用紙２の切り用ミシン目８に対応する折り位置Ａから往信用封緘部７側の各開封用ミシン目５ａ，５ｂの外側部分に接着剤（図示せず）を塗布した後、返信用封筒部１０（図３参照）端から前記往信用封緘部７に向けて、同一方向に巻き込むように、図示していない公知の折り機によって、Ａ，Ｂ，Ｃで示す各折り位置で順次折り重ねて、前記各開封用ミシン目５ａ，５ｂの外側部分を接着する。さらに、前記往信用封緘部７の切り用ミシン目７ｂから外側の重ね合わせ面側に接着剤（図示せず）を塗布して、折り用ミシン目６で前記往信用封緘部７を折り重ねて封緘し、封書３０（図６及び図７参照）とする。
【００１４】
この封書３０作成に際しての折り動作は、大きさの相違する中用紙２２は上用紙２と下用紙３との間に挿入した状態にあって外部に露出せず、前記上用紙２と前記下用紙３とはほぼ同一大で、三周縁で接着しているので、用紙が引っ掛かることなく円滑になされる。作成した封書３０は、図６及び図７に示すように、往信用宛名情報１９と往信用差出人情報２０が、表裏面に表出した状態となり、通常の封書と同様に投函可能となる。
【００１５】
この封書３０を受領した宛名人は、各開封用ミシン目５ａ，５ｂを破断するとともに、往信用封緘部７の各切り用ミシン目７ａ，７ｂの間の帯状部分を捲り上げて分離し、前記封書３０を開封する。そして、返信封筒付き封書用シート１を展開し、切り用ミシン目８を破断して通知情報表示部２ｂ側を分離すると、図８状態となる。この状態からさらに、中用紙２２を引っ張ると、切り用ミシン目２４が破断して、前記中用紙２２は分離する。そして、切り用ミシン目９を破断して通知情報表示部３ｂ側を分離すると、返信封筒部１０が独立した状態となる。
【００１６】
したがって、分離した入会申込書である中用紙２２の申込情報記入捺印欄２５に必要情報を記入、捺印後、この中用紙２２を適宜折り畳んで返信封筒部１０に挿入し、剥離紙１５を剥離して粘着剤１４を露出し、これを返信封筒上紙２ａの開口端に折り重ねて前記粘着剤１４で接着すると、図９に示すような封緘した返信封筒３１となる。この中用紙２２の返信用封筒部１０への挿入は、前記中用紙２２が返信用封筒上紙２ａと返信用封筒下紙３ａの間に挿入されていたので、前記両紙２ａ，２ｂの間には適宜な空間が確保されることになるから、容易になされる。
【００１７】
そして、返信封筒３１には、返信宛名情報１３が返信封筒下紙３ａに表示され、返信差出人情報１２が封筒上紙２ａに表示されているので、通常の封書と同様に投函可能である。この返信封筒３１の開封は、通常と同様に、ハサミなどを用いて一端縁を破断すればよい。
【００１８】
なお、本発明は上述した実施形態に限定されるものではなく、例えば、往信用封緘部７や返信封筒用封緘部１４，１５の構成が上述したものに限らないことはもちろんである。また、中用紙２２は、返信封筒下紙３ａでなく、通知情報表示部３ｂに分離可能に接着したり、返信用封筒上紙２ａや、通知情報表示部２ｃに分離可能に接着してもよいものである。
【００１９】
【発明の効果】
以上説明したように、本願発明の請求項１に記載した返信封筒付き封書用シートによれば、中用紙があらかじめ返信用封筒に挿入可能な大きさに形成されているので、余分なミシン目の切断動作が不要で挿入時に手間がかからず、また、中用紙は一端側で返信用封筒部に挿入されているので、返信用封筒に挿入用空間が確保されて、挿入作業が容易であり、さらには、他の用紙より小さな中用紙は他のほぼ同一大の用紙の間に位置して表出しないので、折り機で折り重ねる際に用紙が引っ掛かるようなことがなく、折り適性に優れ、加えて、通知情報表示部を設けたので、通知情報を表示する部分を充分に確保できるという効果を奏する。
【図面の簡単な説明】
【図１】返信封筒付き封書用シートの上用紙側を示す平面図。
【図２】同じく下用紙側を示す平面図。
【図３】図１のＸ−Ｘ線断面図。
【図４】同じくＹ−Ｙ線断面図。
【図５】下用紙の重ね合わせ面側を示す平面図。
【図６】作成した封書の宛名表示面側を示す平面図。
【図７】同じく差出人表示面側を示す平面図。
【図８】封書を開封し上用紙の情報表示部分を切り取った状態を示す平面図。
【図９】作成した返信用封筒の差出人表示面側を示す平面図。
【符号の説明】
１      返信封筒付き封書シート
２      上用紙
２ａ      返信用封筒上紙
２ｂ，２ｃ      通知情報表示部
３      下用紙
３ａ      返信用封筒下紙
３ｂ      通知情報表示部
３ｃ      往信用宛名情報表示領域
３ｄ      往信用差出人情報表示領域
４ａ，４ｂ，４ｃ，１１ａ，１１ｂ，２３      糊
５ａ，５ｂ      開封用ミシン目
６      折り用ミシン目
７      往信用封緘部
８，９，２４      切り用ミシン目
１０      返信用封筒部
１２      返信差出人情報
１３      返信宛名情報
１４      粘着剤
１５      剥離紙
１９      往信用宛名情報
２０      往信用差出人情報
２２      中用紙
２５      申込情報記入捺印欄
３０      封書
３１      返信封筒
【図１】
0003827525.tif 000002
【図２】
0003827525.tif 000003
【図３】
0003827525.tif 000004
【図４】
0003827525.tif 000005
【図５】
0003827525.tif 000006
【図６】
0003827525.tif 000007
【図７】
0003827525.tif 000008
【図８】
0003827525.tif 000009
【図９】
0003827525.tif 000010